(57)【要約】  より簡素で確実に取付先となるバッテリケースの側壁の上端側に固定可能な密封構造を提供する。  密封構造１００は、バッテリケース１０の側壁１１の上端１１ａ側に沿って配置されるガスケット１１０であって、側壁１１の上端１１ａよりも上側に配置される上端１１１ａを有するガスケット本体１１１と、ガスケット本体１１１の上端側の外側に設けられるシール部１１２であって、バッテリケース１０の開口側を覆うカバー２０の外縁に有する係止部２１の内周面２１ｂと密接する凸状のシール部１１２と、を有するガスケット１１０と、バッテリケース１０の側壁１１に固定される固定壁１２０であって、側壁１１との間にガスケット本体１１１の下端側を収容する収容部１２３と、係止部２１の内周面２１ｂより内側に位置する外周面１２０ａと、を有する固定壁１２０と、を有する。
2020162124.tif 000002
【特許請求の範囲】
【請求項１】
バッテリケースの側壁の上端側に沿って配置されるガスケットであって、
前記側壁の前記上端よりも上側に配置される上端を有するガスケット本体と、
前記ガスケット本体の上端側の外側に設けられるシール部であって、前記バッテリケースの開口側を覆うカバーの外縁に有する係止部の内周面と密接する凸状のシール部と、
を有するガスケットと、
前記バッテリケースの前記側壁に固定される固定壁であって、
前記側壁との間に前記ガスケット本体の下端側を収容する収容部と、
前記係止部の前記内周面より内側に位置する外周面と、
を有する固定壁と、
を有する密封構造。
【請求項２】
前記シール部は、上端側から下端側に向けて径が拡大する傾斜面を有する、
請求項１に記載の密封構造。
【請求項３】
前記シール部の外周側の先端は、前記固定壁の外周面より突出する、
請求項１又は２に記載の密封構造。
【請求項４】
前記固定壁は、溶接により前記側壁に固定される溶接壁である、
請求項１乃至３の何れかに記載の密封構造。
【請求項５】
前記ガスケットは、ゴム硬度７０度以下のゴム状弾性材料の成形品である、
請求項１乃至４の何れかに記載の密封構造。
【請求項６】
前記ガスケットは、複数の前記ガスケット本体を有し、
前記密封構造は、複数の前記ガスケット本体を連結する連結部を更に有する、
請求項１乃至５の何れかに記載の密封構造。
【請求項７】
前記ガスケット本体は、直線状である、
請求項１乃至６の何れかに記載の密封構造。
【発明の詳細な説明】
【技術分野】
【０００１】
本発明は、密封構造に関する。
【背景技術】
【０００２】
電気モビリティ（ｅ-Mobility）化の進展に伴い、電気自動車等の車両向けのバッテリを収容するバッテリケースとバッテリケースを覆うカバーとの間をシールするバッテリケース用ガスケットの開発が進められている。バッテリケース用ガスケットは、バッテリケースの大きさに応じてガスケット周長が長く、平面形状が大きい。そのため、プレス成形での対応が困難なため、押出成形での対応が必要とされる。【０００３】
押出成形品は、周上で同一形状である。そのため、ガスケットを固定するためには、成形品の追加工や、ガスケットが固定される部材にガスケット固定用の溝等を別途設ける必要がある。ガスケットを固定する関連技術として、例えば、特開２０１２−１２２５３６号公報には、成形品にボルト挿入用の貫通孔が設けられるガスケットが開示されている。また、特開２０１７−１７２７５６号公報には、ガスケットが固定される部材に環状溝が設けられる密封構造が開示されている。
【発明の概要】
【発明が解決しようとする課題】
【０００４】
ガスケットの成形品に対して貫通孔等を設ける追加工は、手間とコストを要する。また、ガスケットを装着する部材がプレス成形される場合には、ガスケット装着溝を設けるスペースが十分に確保されないことや、ガスケットを装着する部材に溝等を設ける追加工が別途必要となることがある。そのため、ガスケットをバッテリケース等の取付先の部材に固定するために、より簡素で確実に固定可能な密封構造が求められる。【０００５】
本発明は、より簡素で確実に取付先に固定可能な密封構造を提供することを目的とする。
【課題を解決するための手段】
【０００６】
本発明の密封構造は、
バッテリケースの側壁の上端側に沿って配置されるガスケットであって、
前記側壁の上端よりも上側に配置される上端を有するガスケット本体と、
前記ガスケット本体の上端側の外向きに設けられるシール部であって、前記バッテリケースの開口側を覆うカバーの外縁に有する係止部の内周面と密接する凸状のシール部と、
を有するガスケットと、
前記バッテリケースの前記側壁に固定される固定壁であって、
前記側壁との間に前記ガスケット本体の下端側を収容する収容部と、
前記係止部の前記内周面より内側に位置する外周面と、
を有する固定壁と、
を有する。
【発明の効果】
【０００７】
本発明の密封構造によれば、より簡素で確実に取付先に固定できる。
【図面の簡単な説明】
【０００８】
【図１】実施形態の密封構造の全体の構成を示す平面図
【図２】実施形態の密封構造の要部の構成を示す斜視図
【図３】実施形態の密封構造の要部の構成を示す断面図
【発明を実施するための形態】
【０００９】
以下、密封構造の好適な実施形態について詳細に説明する。なお、以下に説明する本実施形態は、特許請求の範囲に記載された本発明の内容を限定するものではなく、本実施形態で説明される構成の全てが本発明の解決手段として必須であるとは限らない。
【００１０】
まず、本実施形態の密封構造の概略構成について、図１及び図２を参照して説明する。図１は、本実施形態の密封構造がバッテリケースに取り付けられた状態を示す平面図である。図２は、本実施形態の密封構造の連結部を含む部分斜視図を示す。
【００１１】
密封構造１００は、例えば、バッテリケース１０とバッテリケース１０を覆うカバー２０（図３参照）との間をシールするバッテリケース用ガスケットである。バッテリケース１０は、主に電気自動車、燃料電池車、ハイブリッド車等の車両に使用される車両用バッテリを収容する。本実施形態の密封構造１００は、図１に示すように、バッテリケース１０の開口側に設けられる。密封構造１００は、ガスケット１１０と、溶接壁１２０と、連結部１３０とを有する。
【００１２】
ガスケット１１０は、バッテリケース１０に固定される。ガスケット１１０は、バッテリケース１０とカバー２０（図３参照）との間の密閉性を確保する。ガスケット１１０は、ゴム硬度７０度以下のゴム状弾性材料を押出成形した成形品である。ゴム状弾性材料は、例えば、ゴム材料やゴム状弾性を有する合成樹脂材料等である。
【００１３】
本実施形態のガスケット１１０は、図１に示すように、ガスケット本体１１１がバッテリケース１０の開口側の各辺に沿うように配置される。ガスケット本体１１１は、直線状であり、全長に亙って同一断面形状に形成される。各ガスケット本体１１１の端部側は、連結部１３０に嵌合して、連結部１３０を介して連結する。連結部１３０は、ゴム等で形成される。これにより、ガスケット１１０は、矩形枠状となる。
【００１４】
本実施形態のガスケット１１０は、図１及び図２に示すように、バッテリケース１０の側壁１１の上端側に沿って配置される。また、ガスケット１１０は、上端側に、外向きに凸状のシール部１１２を有する。シール部１１２は、バッテリケース１０の開口側を覆うカバー２０（図３参照）と密接する。なお、本実施形態のガスケット１１０の構成の詳細については、後述する。
【００１５】
溶接壁１２０は、断面がＬ字型であり、鉄等の金属により形成される柱状部材である。溶接壁１２０は、バッテリケース１０の側壁１１の外側に固定される。溶接壁１２０は、ガスケット１１０の固定とカバー２０の案内を行う固定壁として機能する。本実施形態の溶接壁１２０は、バッテリケース１０をカバー２０で覆った際に、外周面１２０ａがカバー２０の外縁に有する係止部２１の内周面２１ｂ（図３参照）より内側に位置する。本実施形態の溶接壁１２０は、バッテリケース１０の側壁１１の外側から溶接で固定されて取り付けられる。
【００１６】
次に、本実施形態の密封構造の要部の構成について、図３を参照して説明する。図３は、本実施形態の密封構造のガスケットと溶接壁がバッテリケースに取り付けられた状態におけるカバーとの位置関係を説明するために、ガスケット本体の長さ方向に対して垂直方向に切断した断面図である。
【００１７】
本実施形態の密封構造１００は、主にバッテリケース１０とカバー２０の内外方向（水平方向）のシール性能を確保する。図３に示すように、金属製の溶接壁１２０がバッテリケース１０の側壁１１の上端１１ａの近傍に外側から溶接によって固定されて取り付けられる。また、上端側にバッテリケース１０の開口側を覆うカバー２０と密接するシール部１１２を有するガスケット１１０が、固定壁となる溶接壁１２０を介してバッテリケース１０の側壁１１の上端１１ａの外側に沿って配置される。
【００１８】
本実施形態のガスケット１１０は、図３に示すように、カバー２０の外縁に有する係止部２１の内周面２１ｂと密接する凸状のシール部１１２を上端側に有するガスケット本体１１１を有する。ガスケット本体１１１の下端側は、溶接壁１２０の収容部１２３に収容される。すなわち、本実施形態のガスケット１１０は、押出成形する際に、ガスケット本体１１１の上端側に傾斜面１１２ｂを有するシール部１１２を有する成形品とすることによって、バッテリケース１０の側壁１１の上端１１ａに沿って溶接壁１２０を介して非接着で容易に固定できる。
【００１９】
シール部１１２は、図３に示すように、上端側から下端側に向けて断面の径が拡大する傾斜面１１２ｂを有する。外周側の先端１１２ａは、少なくとも溶接壁１２０の外周面１２０ａより突出する。また、本実施形態のシール部１１２は、ガスケット本体１１１の上端側の外向きに設けられた上で、シール部１１２が設けられるガスケット本体１１１の上端１１１ａがバッテリケース１０の側壁１１の上端１１ａよりも上側に配置される。
【００２０】
このため、バッテリケース１０にカバー２０を被せる際に、係止部２１の内周面２１ｂの先端２１ｂ１がシール部１１２の傾斜面１１２ｂに当接してから、カバー２０の天井面２０ａがガスケット本体１１１の上端１１１ａを押圧する。これによって、シール部１１２の先端１１２ａを含む部位が広範囲に圧縮されて弾性変形する。このように、本実施形態では、シール部１１２が広範囲に弾性変形することによって、シール部１１２が係止部２１の内周面２１ｂに対して優れたシール性能を発揮する。
【００２１】
ガスケット１１０をバッテリケース（取付先）１０の側壁１１の上端側に沿って固定するため、溶接壁１２０は、側壁１１の外側から溶接によって固定される固定壁として機能する。本実施形態の溶接壁１２０は、図３に示すように、固定部１２１と、仕切り壁１２２とを有する。固定部１２１は、内側にガスケット本体１１１を収容する収容部１２３を有する。仕切り壁１２２は、固定部１２１の外側に設けられ、ガスケット本体１１１を支持する。溶接壁１２０は、断面がＬ字型の形状を有する。すなわち、本実施形態の溶接壁１２０には、バッテリケース１０の側壁１１との間にガスケット１１０を収容する収容部１２３が設けられる。
【００２２】
また、本実施形態の溶接壁１２０は、外周面１２０ａがカバー２０の係止部２１の内周面２１ｂより内側に設けられる。このため、本実施形態の溶接壁１２０は、バッテリケース１０にカバー２０を覆う際に、カバー２０の係止部２１を案内する。
【００２３】
ただし、本実施形態では、溶接壁１２０でカバー２０の係止部２１を案内した際に、カバー２０の高さ方向の位置決めがされない。そのため、密閉性を担保するためには、カバー２０の自重による過度の荷重がバッテリケース１０の側壁１１の上端１１ａにかからないようにする必要がある。このため、本実施形態の密封構造１００は、バッテリケース１０とカバー２０との上下方向のシール性能を担保するために、ガスケット本体１１１の上端１１１ａがバッテリケース１０の側壁１１の上端１１ａよりも上側に配置される。
【００２４】
なお、本実施形態の密封構造１００の固定壁は、溶接により固定される溶接壁１２０を有するが、バッテリケース１０の側壁１１に固定する手段は、溶接による固定に限定されない。例えば、バッテリケースと固定壁が双方とも硬質な樹脂等で構成される場合には、接着や熱圧着等の他の固定手段で固定壁をバッテリケースに取り付けてもよい。
【００２５】
このように、本実施形態の密封構造１００は、バッテリケース（取付先）１０の側壁１１の上端１１ａの近傍の外側に、ガスケット１１０を固定する固定壁となる所望の形状を有する溶接壁１２０が溶接によって取り付けられてから、ガスケット１１０が溶接壁１２０を介して固定される。このため、押出成形されたガスケット１１０の成形品に固定用の貫通孔や突起等の追加工を施すことなく、バッテリケース（取付先）１０の側壁１１に簡素な構成で確実にガスケット１１０を固定できる。
【００２６】
また、本実施形態の密封構造１００は、ガスケット１１０が装着されるバッテリケース１０の側壁１１にプレス加工によるガスケット装着用の溝等を設けずに、ガスケット１１０を定位置に保持して、ガスケット１１０によるシール作用を発揮できる。このため、本実施形態の密封構造１００によれば、押出成形されたガスケット１１０の成形品に追加工を施す必要がなく、かつ、ガスケット１１０が装着される取付先となるバッテリケース１０の側壁１１にガスケット装着用の溝等を設ける必要がない。
【００２７】
また、バッテリケース１０とカバー２０の内外方向、すなわち、バッテリケース１０の側壁１１の上端側の外周面とカバー２０の係止部２１の内周面２１ｂとの間のシール性を簡素な構成及び手法で確実に確保できる。このため、本実施形態の密封構造１００を電気自動車等の車両向けのバッテリケース用ガスケットに適用して、バッテリケース用ガスケットの加工性及び装着性が向上するので、大きな工業的価値を有する。
【００２８】
なお、上記のように密封構造の一実施形態について詳細に説明したが、多くの変形が可能であることは、当業者には、容易に理解できるであろう。例えば、明細書又は図面において、少なくとも一度、より広義又は同義な異なる用語と共に記載された用語は、明細書又は図面のいかなる箇所においても、その異なる用語に置き換えることができる。また、密封構造の構成、動作も一実施形態で説明したものに限定されず、種々の変形実施が可能である。
【符号の説明】
【００２９】
１０  バッテリケース
１１  側壁
１１ａ  側壁の上端
２０  カバー
２０ａ  天井面
２１  係止部
２１ａ  係止部の下端
２１ｂ  係止部の内周面
２１ｂ１  内周面の下端
１００  密封構造
１１０  ガスケット
１１１  ガスケット本体
１１１ａ  ガスケット本体の上端
１１２  シール部
１１２ａ  シール部の外周側の先端
１１２ｂ  傾斜面
１２０  溶接壁（固定壁）
１２０ａ  溶接壁の外周面
１２１  固定部
１２２  仕切り壁
１２３  収容部
１３０  連結部
【図１】
2020162124.tif 000003
【図２】
2020162124.tif 000004
【図３】
2020162124.tif 000005
【国際調査報告】
2020162124.tif 000006
2020162124.tif 000007
2020162124.tif 000008
2020162124.tif 000009